(57)【特許請求の範囲】
【請求項１】
機外の球補給設備から補給されるパチンコ球を受入れると共に、賞球通路および貸球通路が画成されている球払出経路構成部と、この球払出経路構成部の経路途中に配設され、前記賞球通路に整合する賞球払出用の第１球払出装置および前記貸球通路に整合する貸球払出用の第２球払出装置とを、機裏側に装備した機構セット盤に組付けて構成されたパチンコ遊技機において、
前記球払出経路構成部は、前記賞球通路の一部を構成する第１球整流路と、前記貸球通路の一部を構成する第２球整流路と、賞球通路の一部を構成すると共に該第１球整流路に下流側で連通した第１球送出路と、貸球通路の一部を構成すると共に該第２球整流路に下流側で連通した第２球送出路と、第１および第２球整流路の下流端に整合するスプロケットカバーとを備え、
前記スプロケットカバーの内部には、自由回転可能に構成されて、前記第１球整流路を流下するパチンコ球を前記第１球送出路に送出する第１スプロケットと、該第１スプロケットと独立して自由回転可能に構成されて、前記第２球整流路を流下するパチンコ球を前記第２球送出路に送出する第２スプロケットとが配設され、
前記スプロケットカバーに穿設した通孔に、前記第２スプロケットの回転を許容する回転許容位置と、該第２スプロケットの回転を制止する回転規制位置とをスライド移動可能に構成された規制部材が挿入され、
前記規制部材の前記回転規制位置へのスライド移動により、前記貸球通路から前記第２球払出装置へのパチンコ球の供給を規制し、該第２球払出装置による貸球払出を不可能とすることで、現金式球貸仕様とし、
前記規制部材の前記回転許容位置へのスライド移動により、前記貸球通路から前記第２球払出装置へのパチンコ球の供給を許容し、該第２球払出装置からの貸球払出を可能とすることで、カード式球貸仕様とし得るよう構成した
ことを特徴とするパチンコ遊技機。
【請求項２】
機外の球補給設備から補給されるパチンコ球を受入れると共に、賞球通路および貸球通路が画成されている球払出経路構成部と、この球払出経路構成部の経路途中に配設され、前記賞球通路に整合する賞球払出用の第１球払出装置および前記貸球通路に整合する貸球払出用の第２球払出装置とを、機裏側に装備した機構セット盤に組付けて構成されたパチンコ遊技機において、
前記球払出経路構成部は、前記賞球通路および貸球通路に球出口を介して連通する球容器を備え、
前記球容器における前記貸球通路に対向する側に規制部材が配設され、
前記規制部材は、前記球容器の球出口と整合する前記賞球通路の入口部および該球容器の球出口と整合する前記貸球通路の入口部を開放する球通出許容位置と、賞球通路の入口部を開放すると共に貸球通路の入口部を閉塞する球通出規制位置とをガイドレールを介してスライド移動可能に構成され、
前記規制部材の前記球通出規制位置へのスライド移動により、前記貸球通路から前記第２球払出装置へのパチンコ球の供給を規制し、該第２球払出装置による貸球払出を不可能とすることで、現金式球貸仕様とし、
前記規制部材の前記球通出許容位置へのスライド移動により、前記貸球通路から前記第２球払出装置へのパチンコ球の供給を許容し、該第２球払出装置からの貸球払出を可能とすることで、カード式球貸仕様とし得るよう構成した
ことを特徴とするパチンコ遊技機。
【請求項３】
機外の球補給設備から補給されるパチンコ球を受入れると共に、賞球通路および貸球通路が画成されている球払出経路構成部と、この球払出経路構成部の経路途中に配設され、前記賞球通路に整合する賞球払出用の第１球払出装置および前記貸球通路に整合する貸球払出用の第２球払出装置とを、機裏側に装備した機構セット盤に組付けて構成されたパチンコ遊技機において、
前記球払出経路構成部は、前記賞球通路の一部を構成する第１球送出路と、前記貸球通路の一部を構成する第２球送出路と、該第１球送出路に賞球受入口を介して連通した第１球通過路および該第２球送出路に貸球受入口を介して連通した第２球通過路が内部画成された貯留球通出ユニットとを備え、
前記貯留球通出ユニットに、パチンコ球が通出し得る第１球通過口および第２球通過口が開口された平板状の規制部材が配設され、
前記規制部材は、前記賞球受入口に第１球通過口が連通すると共に前記貸球受入口に第２球通過口が連通する球通出許容位置と、該賞球受入口に第１球通過口が連通する一方で貸球受入口を閉塞する球通出規制位置とにスライド移動可能に構成され、
前記規制部材の前記球通出規制位置へのスライド移動により、前記貸球通路から前記第２球払出装置へのパチンコ球の供給を規制し、該第２球払出装置による貸球払出を不可能とすることで、現金式球貸仕様とし、
前記規制部材の前記球通出許容位置へのスライド移動により、前記貸球通路から前記第２球払出装置へのパチンコ球の供給を許容し、該第２球払出装置からの貸球払出を可能とすることで、カード式球貸仕様とし得るよう構成した
ことを特徴とするパチンコ遊技機。
【請求項４】
機外の球補給設備から補給されるパチンコ球を受入れると共に、賞球通路および貸球通路が画成されている球払出経路構成部と、この球払出経路構成部の経路途中に配設され、前記賞球通路に整合する賞球払出用の第１球払出装置および前記貸球通路に整合する貸球払出用の第２球払出装置とを、機裏側に装備した機構セット盤に組付けて構成されたパチンコ遊技機において、
前記球払出経路構成部は、前記賞球通路の一部を構成すると共に、前記第１球払出装置の賞球受入口と整合する賞球送出口が開口した第１球通過路と、前記貸球通路の一部を構成すると共に、前記第２球払出装置の貸球受入口と整合する貸球送出口が開口した第２球通過路とが内部画成された貯留球通出ユニットを備え、
前記貯留球通出ユニットに、パチンコ球が通出し得る第１球通過口および第２球通過口が開口された平板状の規制部材が配設され、
前記規制部材は、前記賞球送出口に第１球通過口が連通すると共に、前記貸球送出口に第２球通過口が連通する球通出許容位置と、該賞球送出口に第１球通過口が連通する一方で、貸球送出口を閉塞する球通出規制位置とにスライド移動可能に構成され、
前記規制部材の前記球通出規制位置へのスライド移動により、前記貸球通路から前記第２球払出装置へのパチンコ球の供給を規制し、該第２球払出装置による貸球払出を不可能とすることで、現金式球貸仕様とし、
前記規制部材の前記球通出許容位置へのスライド移動により、前記貸球通路から前記第２球払出装置へのパチンコ球の供給を許容し、該第２球払出装置からの貸球払出を可能とすることで、カード式球貸仕様とし得るよう構成した
ことを特徴とするパチンコ遊技機。
【発明の詳細な説明】
【０００１】
【発明の属する技術分野】
この発明は、パチンコ遊技機に関し、更に詳細には、機外の球補給設備から補給されるパチンコ球を受入れる球払出経路構成部と、この球払出経路構成部の経路途中に配設され、該球払出経路構成部に受入れたパチンコ球を払出す球払出装置とを、機裏側に装備した機構セット盤に配設するパチンコ遊技機に関するものである。
【０００２】
【従来の技術】
パチンコ機やアレンジボール機に代表されるパチンコ遊技機は、遊技媒体としてのパチンコ球を使用してパチンコ遊技を行なうようになっている。このパチンコ遊技機は、例えば図２に示すように、矩形枠体としての外枠Ａの開口前面側に対して、中枠Ｂが連結支持手段および施錠手段を利用して着脱および開放可能に組付けられている。そして中枠Ｂの前側部分には、前枠と上球皿が夫々着脱および開放可能に組付けられ、該中枠Ｂの下部に下球皿および打球発射装置等が設置されると共に、該中枠Ｂの後側に設けた保持枠１０の正面内部に遊技盤Ｃが着脱交換可能にセットされる。また前記中枠Ｂの裏側に、機構セット盤Ｄが装備されている。
【０００３】
図２に示すように、前記機構セット盤Ｄは、中枠Ｂ裏側に位置する遊技盤Ｃセット用の前記保持枠１０の裏側に着脱可能に装備され、該保持枠１０に対応し得る略矩形状に樹脂成形されたセット盤本体１１の中央部に遊技盤裏面の点検用の窓口１２が開口され、これに裏カバー部材１３が開閉および着脱可能に取着されている。そして、前記窓口１２の上部から右側部に亘る外周囲部に、球タンク部１５、球整流路部１６、球送出路部１７および球案内部１８等を備えた球払出経路構成部１４が設けられ、更に該球払出経路構成部１４の経路途中(球送出路部１７と球案内部１８との間)に、球払出制御装置１９により制御されるカセット形態の球払出装置Ｅが設置されている。これにより、図示しない機外の球補給設備から補給されたパチンコ球は、貯留球として前記球払出経路構成部１４において前記球払出装置Ｅより上流側に一旦貯留され、球払出装置Ｅの作動により球案内部１８を介して上球皿または下球皿へ払出されるようになっている。
【０００４】
ここで、現在実施に供されているパチンコ遊技機は、図２に示すように、前記球払出制御装置１９と接続したカード対応の球貸しユニットＦを併設することを前提としたカード式球貸仕様とされるカード式パチンコ遊技機と、図示しないが、前記球払出制御装置１９と接続する球貸しユニットＦを併設しない現金式球貸仕様とされる現金式パチンコ遊技機とに大別されている。前記カード式パチンコ遊技機では、賞球払出用の第１球払出装置Ｅ１と貸球(遊技球)払出用の第２球払出装置Ｅ２とを装備しており、遊技者が貸球用カードおよび前記球貸しユニットＦを利用して適正な球貸し操作を行なった場合には、この操作に応答して前記第２球払出装置Ｅ２が作動制御され、球払出経路構成部１４内の所定数の貯留球が貸球として払出される。一方、前記遊技盤Ｃ内でパチンコゲームが展開されている途中で入賞球が発生した場合は、これに応答して前記第１球払出装置Ｅ１が作動制御され、球払出経路構成部１４内の所定数の貯留球が賞球として払出される。
【０００５】
また、現金式パチンコ遊技機では、当該遊技機の球払出経路構成部１４内に貯留された貯留球を貸球として利用しないので、賞球払出用の第１球払出装置Ｅ１のみを装備したものとされ、前記遊技盤Ｃ内でパチンコゲームが展開されている途中で入賞球が発生した場合は、これに応答して前記第１球払出装置Ｅ１が作動制御され、球払出経路構成部１４内の所定数の貯留球が賞球として払出される。なお、貸球は当該パチンコ遊技機とは直接的に接続されていない球貸専用機に硬貨を投入することで、該球貸専用機からパチンコ球(遊技球)を購入して上球皿へ投入するようになっている。
【０００６】
【発明が解決しようとする課題】
そして、実際にパチンコ遊技店に供給されるパチンコ遊技機としては、前述したカード式パチンコ遊技機が圧倒的に多く、現金式パチンコ遊技機の需要は少量となっている。ところが、前記カード式パチンコ遊技機と現金式パチンコ遊技機とは、貸球払出用の前記第２球払出装置Ｅ２の有無のみならず、前記球払出経路構成部１４を構成している前記球タンク部１５、球整流路部１６、球送出路部１７および球案内部１８等の構造・形態にも大きな差異点がある。例えば、カード式パチンコ遊技機における球払出経路構成部１４は、貸球とされる貯留球用の貸球通路と賞球とされる貯留球用の賞球通路とを別々に画成する必要があり、また現金式パチンコ遊技機における球払出経路構成部１４は、賞球とされる貯留球用の賞球通路だけを画成してある。このためカード式パチンコ遊技機と現金式パチンコ遊技機とは、機構セット盤Ｄそのものが夫々に専用に設計・製作されており、生産量が少ない現金式パチンコ遊技機の生産コスト等が割高となってしまう問題がある。カード式パチンコ遊技機から現金式パチンコ遊技機、あるいは現金式パチンコ遊技機からカード式パチンコ遊技機への仕様変更を行なう場合は、前記機構セット盤Ｄ全体を丸ごと交換するしかなく、仕様変更に際して部材コストが嵩むと共に作業工数が増加する等の問題を内在していた。
【０００７】
【発明の目的】
本発明は、前述した従来の技術に内在している前記課題に鑑み、これを好適に解決するべく提案されたものであって、カード式球貸仕様として構成される機構セット盤を、所要に応じて現金式球貸仕様としての構成される機構セット盤に容易に仕様変更し得ると共に、仕様変更に伴うコスト削減や作業工数削減等を可能としたパチンコ遊技機を提供することを目的とする。
【０００８】
【課題を解決するための手段】
前述した課題を克服し、所期の目的を好適に達成するため本発明は、
機外の球補給設備から補給されるパチンコ球を受入れると共に、賞球通路および貸球通路が画成されている球払出経路構成部と、この球払出経路構成部の経路途中に配設され、前記賞球通路に整合する賞球払出用の第１球払出装置および前記貸球通路に整合する貸球払出用の第２球払出装置とを、機裏側に装備した機構セット盤に組付けて構成されたパチンコ遊技機において、
前記球払出経路構成部は、前記賞球通路の一部を構成する第１球整流路と、前記貸球通路の一部を構成する第２球整流路と、賞球通路の一部を構成すると共に該第１球整流路に下流側で連通した第１球送出路と、貸球通路の一部を構成すると共に該第２球整流路に下流側で連通した第２球送出路と、第１および第２球整流路の下流端に整合するスプロケットカバーとを備え、
前記スプロケットカバーの内部には、自由回転可能に構成されて、前記第１球整流路を流下するパチンコ球を前記第１球送出路に送出する第１スプロケットと、該第１スプロケットと独立して自由回転可能に構成されて、前記第２球整流路を流下するパチンコ球を前記第２球送出路に送出する第２スプロケットとが配設され、
前記スプロケットカバーに穿設した通孔に、前記第２スプロケットの回転を許容する回転許容位置と、該第２スプロケットの回転を制止する回転規制位置とをスライド移動可能に構成された規制部材が挿入され、
前記規制部材の前記回転規制位置へのスライド移動により、前記貸球通路から前記第２球払出装置へのパチンコ球の供給を規制し、該第２球払出装置による貸球払出を不可能とすることで、現金式球貸仕様とし、
前記規制部材の前記回転許容位置へのスライド移動により、前記貸球通路から前記第２球払出装置へのパチンコ球の供給を許容し、該第２球払出装置からの貸球払出を可能とすることで、カード式球貸仕様とし得るよう構成したことを特徴とする。
前述した課題を克服し、所期の目的を好適に達成するため本願の別の発明は、
機外の球補給設備から補給されるパチンコ球を受入れると共に、賞球通路および貸球通路が画成されている球払出経路構成部と、この球払出経路構成部の経路途中に配設され、前記賞球通路に整合する賞球払出用の第１球払出装置および前記貸球通路に整合する貸球払出用の第２球払出装置とを、機裏側に装備した機構セット盤に組付けて構成されたパチンコ遊技機において、
前記球払出経路構成部は、前記賞球通路および貸球通路に球出口を介して連通する球容器を備え、
前記球容器における前記貸球通路に対向する側に規制部材が配設され、
前記規制部材は、前記球容器の球出口と整合する前記賞球通路の入口部および該球容器の球出口と整合する前記貸球通路の入口部を開放する球通出許容位置と、賞球通路の入口部を開放すると共に貸球通路の入口部を閉塞する球通出規制位置とをガイドレールを介してスライド移動可能に構成され、
前記規制部材の前記球通出規制位置へのスライド移動により、前記貸球通路から前記第２球払出装置へのパチンコ球の供給を規制し、該第２球払出装置による貸球払出を不可能とすることで、現金式球貸仕様とし、
前記規制部材の前記球通出許容位置へのスライド移動により、前記貸球通路から前記第２球払出装置へのパチンコ球の供給を許容し、該第２球払出装置からの貸球払出を可能とすることで、カード式球貸仕様とし得るよう構成したことを特徴とする。
前述した課題を克服し、所期の目的を好適に達成するため本願の更に別の発明は、
機外の球補給設備から補給されるパチンコ球を受入れると共に、賞球通路および貸球通路が画成されている球払出経路構成部と、この球払出経路構成部の経路途中に配設され、前記賞球通路に整合する賞球払出用の第１球払出装置および前記貸球通路に整合する貸球払出用の第２球払出装置とを、機裏側に装備した機構セット盤に組付けて構成されたパチンコ遊技機において、
前記球払出経路構成部は、前記賞球通路の一部を構成する第１球送出路と、前記貸球通路の一部を構成する第２球送出路と、該第１球送出路に賞球受入口を介して連通した第１球通過路および該第２球送出路に貸球受入口を介して連通した第２球通過路が内部画成された貯留球通出ユニットとを備え、
前記貯留球通出ユニットに、パチンコ球が通出し得る第１球通過口および第２球通過口が開口された平板状の規制部材が配設され、
前記規制部材は、前記賞球受入口に第１球通過口が連通すると共に前記貸球受入口に第２球通過口が連通する球通出許容位置と、該賞球受入口に第１球通過口が連通する一方で貸球受入口を閉塞する球通出規制位置とにスライド移動可能に構成され、
前記規制部材の前記球通出規制位置へのスライド移動により、前記貸球通路から前記第２球払出装置へのパチンコ球の供給を規制し、該第２球払出装置による貸球払出を不可能とすることで、現金式球貸仕様とし、
前記規制部材の前記球通出許容位置へのスライド移動により、前記貸球通路から前記第２球払出装置へのパチンコ球の供給を許容し、該第２球払出装置からの貸球払出を可能とすることで、カード式球貸仕様とし得るよう構成したことを特徴とする。
前述した課題を克服し、所期の目的を好適に達成するため本願の更に別の発明は、
機外の球補給設備から補給されるパチンコ球を受入れると共に、賞球通路および貸球通路が画成されている球払出経路構成部と、この球払出経路構成部の経路途中に配設され、前記賞球通路に整合する賞球払出用の第１球払出装置および前記貸球通路に整合する貸球払出用の第２球払出装置とを、機裏側に装備した機構セット盤に組付けて構成されたパチンコ遊技機において、
前記球払出経路構成部は、前記賞球通路の一部を構成すると共に、前記第１球払出装置の賞球受入口と整合する賞球送出口が開口した第１球通過路と、前記貸球通路の一部を構成すると共に、前記第２球払出装置の貸球受入口と整合する貸球送出口が開口した第２球通過路とが内部画成された貯留球通出ユニットを備え、
前記貯留球通出ユニットに、パチンコ球が通出し得る第１球通過口および第２球通過口が開口された平板状の規制部材が配設され、
前記規制部材は、前記賞球送出口に第１球通過口が連通すると共に、前記貸球送出口に第２球通過口が連通する球通出許容位置と、該賞球送出口に第１球通過口が連通する一方で、貸球送出口を閉塞する球通出規制位置とにスライド移動可能に構成され、
前記規制部材の前記球通出規制位置へのスライド移動により、前記貸球通路から前記第２球払出装置へのパチンコ球の供給を規制し、該第２球払出装置による貸球払出を不可能とすることで、現金式球貸仕様とし、
前記規制部材の前記球通出許容位置へのスライド移動により、前記貸球通路から前記第２球払出装置へのパチンコ球の供給を許容し、該第２球払出装置からの貸球払出を可能とすることで、カード式球貸仕様とし得るよう構成したことを特徴とする。
【０００９】
【作用】
本発明によれば、パチンコ遊技機の機構セット盤に組付けられる球払出経路構成部における貸球通路の所要位置に、貸球払出用の球払出装置へのパチンコ球の供給を規制し得る規制部材を設けることで、この球払出装置による貸球払出を不可能とし得るようになる。このように貸球払出を不可能とされたパチンコ遊技機で遊技を行なう際には、当該パチンコ遊技機とは直接的に接続されていない球貸専用機からパチンコ球を購入して遊技を行なうことになるため、現金球貸仕様のパチンコ遊技機としての使用が可能になる。また、前記規制部材を移動して、前記貸球通路から貸球払出用の球払出装置へのパチンコ球の供給を許容することで、この球払出装置による貸球払出を可能とし得るようになる。このように貸球払出をし得るパチンコ遊技機で遊技を行なう際には、当該パチンコ遊技機に接続されている球貸装置からパチンコ球を購入して遊技を行なうことになるため、カード式球貸仕様のパチンコ遊技機としての使用が可能になる。すなわち、前記規制部材を移動することにより、カード式球貸仕様のパチンコ遊技機と現金式球貸仕様のパチンコ遊技機の両方に同一の機構セット盤を共用し得るので、両仕様毎の機構セット盤を個別に準備する必要がなく、仕様変更に伴う費用を最小限に抑えてコスト削減が可能となると共に、部材発注および保管等が容易になる一方、機構セット盤の着脱作業を必要としないから作業工数の削減および合理化も可能となる。
【００１０】
【発明の実施の形態】
次に、本発明に係るパチンコ遊技機につき、好適な実施例を挙げ、添付図面を参照しながら以下詳細に説明する。
【００１１】
【第１実施例】
第１実施例のパチンコ遊技機は、常にはカード式球貸仕様として使用し得るように構成されており、前述すると共に図２に示すように、矩形枠体としての外枠Ａの開口前面側に対して、中枠Ｂが連結支持手段および施錠手段を利用して着脱および開放可能に組付けられている。そして、中枠Ｂの前側部分には、前枠、上球皿、下球皿および打球発射装置等(何れも図示せず)が設置されると共に、該中枠Ｂの後側に設けた保持枠１０の正面内部に遊技盤Ｃが着脱交換可能にセットされる。また、前記中枠Ｂの裏側に機構セット盤Ｄが装備されている。
【００１２】
前記機構セット盤Ｄは、図１に示すように、前記保持枠１０に組付けられるセット盤本体１１を主体としており、このセット盤本体１１は上半体２０および下半体２１からなる上下連結タイプとされ、これら上半体２０および下半体２１は適宜の合成樹脂材から形成されている。このうち上半体２０は、主に前述した球払出経路構成部１４の構成基盤とされていると共に、ターミナル基板(図示せず)用の設置部２６が右上に形成されている。また前記下半体２１は、前記球払出経路構成部１４の下流側に連設される球払出路２３が画成されると共に、前記球払出装置Ｅおよび図示しない主制御装置、払出制御装置、電源分配基板およびインターフェースボード等の設置基盤とされている。
【００１３】
更に、図１に示すように、前記機構セット盤Ｄの上半体２０は、賞球通路２４および貸球通路２５が画成されている前記球払出経路構成部１４と、前記賞球通路２４に整合する賞球払出用の第１球払出装置Ｅ１および前記貸球通路２５に整合する遊技球払出用の第２球払出装置Ｅ２とを、機構セット盤Ｄのセット盤本体１１に着脱可能に組付けることで構成される。なお、前記球払出経路構成部１４は、球タンク部１５、球整流路部１６、球送出路部１７および球案内部１８等から構成されている。
【００１４】
前記球タンク部１５は、前記セット盤本体１１の上半体２０における上部に、上方開口状態で設置される球容器(「球タンク」ともいう)３０と、この球容器３０の底面に開口した球出口３０ａに整合して配設される貯留球検出器３１等から構成されている。そして、球容器３０内に、図示しない球補給設備から補給される相当量(例えば５００個程度)のパチンコ球を貯留球として一時的に貯留し得るようになっている。なお、前記球容器３０は、数本のネジ(図示せず)により上半体２０に着脱可能に組付けられるようになっており、また前記貯留球検出器３１は、該上半体２０に設けたスリット３２に対して上方からスライド係合されて着脱可能に組付けられるよう構成される。
【００１５】
図１に示すように、横長部材の前記球整流路部１６は、前記球容器３０の下方に配設されており、その一方の端部(上流端)は前記球出口３０ａと整合するようになっている。そして、前記球整流路部１６は、整流レール３３と、この整流レール３３の下流部となる右側上部に組付けられるカバー板３４と、前記整流レール３３の下流端となる右端に整合するスプロケットカバー３５内に配設される第１スプロケット４１ａおよび第２スプロケット４１ｂ等から構成されている(図４参照)。そして前記整流レール３３は、長手方向に沿って中央に立設した仕切板３６により、貯留球を２列整列状態で球送出路部１７へ送出案内する第１球整流路３７(賞球通路２４)および第２球整流路３８(貸球通路２５)とが並設されると共に、該両球整流路３７,３８の夫々が、更に２列に分割された「４条タイプ」とされている。このうち、前記上半体２０と仕切板３６とにより画成される第１球整流路３７が前記賞球通路２４の一部を構成し、該第１球整流路３７を通出するパチンコ球が前記第１球払出装置Ｅ１により賞球として払出されると共に、整流レール３３の外壁３３ａと前記仕切板３６とにより画成される第２球整流路３８が、前記貸球通路２５の一部を構成し、該第２整流路部３８を通出するパチンコ球が前記第２払出装置Ｅ２により貸球として払出されるようになっている。
【００１６】
また、図３に示すように、前記球容器３０の前記球整流路部１６と対向する側(裏面)には、規制部材２８ａが図示しないガイドレールを介してスライド移動可能(図３における左右方向)に取付けられており、常にはこの球容器３０の球出口３０ａと整合する第２球整流路部３８(貸球通路２５)の入口部２５ａに突出しない位置(球通出許容位置)に固定し得るようになっている(図３(ａ))。また、前記規制部材２８ａは入口部２５ａを閉塞し得る方向(図３の左方向)にスライド移動させた際に、この入口部２５ａを閉塞する位置(球通出規制位置)で、所要の手段により固定し得るよう構成される(図３(ｂ))。なお、前記規制部材２８ａは、この球通出規制位置に固定された際に、貸球通路２５を構成している第２球整流路部３８の入口部２５ａを完全に閉塞して、パチンコ球の該第２球整流路部３８への導入を規制すると共に、賞球通路２４を構成している第１球整流路部３７に対応する入口部２５ｂを閉塞することなく、パチンコ球が該第１球整流路部３７に流入し得る大きさに設定されている。
【００１７】
図４に示すように、前記第１スプロケット４１ａおよび第２スプロケット４１ｂの夫々は、前記第１球整流路３７および第２球整流路３８を流下するパチンコ球を、前記球送出経路部１７を構成する後述の第１球送出路４５(賞球通路２４)および第２送出路４６(貸球通路２５)に夫々円滑に送出し得るようになっている。また、この第１および第２スプロケット４１ａ,４１ｂは、回転軸３４を介して同一軸心上に配設されると共に、夫々独立して自由回転し得るように構成されている。なお、前記整流レール３３の上方には、前記上半体２０に一体成形された取付片に、前記第１球整流路３７および第２球整流路３８に対応する球ならし部材３９,４０が揺動可能に配設され、夫々の球整流路３７,３８内を重なりながら下流側へ移動する貯留球を、平坦にならすようになっている。
【００１８】
前記球送出路部１７は、球整流路部１６の前記第１球整流路３７に連通して前記賞球通路２４の一部を構成する第１球送出路４５と、前記第２球整流路３８に連通して前記貸球通路２５の一部を構成する第２球送出路４６とが、パチンコ遊技機の前後方向へ並列的に形成された「２条タイプ」とされ、球整流路部１６から夫々２列整列状態で移動した貯留球を夫々１列整列状態で通出案内するようになっている。すなわち、第１球整流路３７および第２球整流路３８を夫々流下移動した貯留球は、前記第１スプロケット４１ａおよび第２スプロケット４１ｂで整列した後に、２列から１列に変更されつつ対応の第１球送出路４５および第２球送出路４６内へ流入するようになっている。
【００１９】
また、図１に示すように、前記球送出路部１７は、上方に位置する上球送出路部１７Ａと、この上球送出路部１７Ａの下側に位置する下球送出路部１７Ｂとから構成されており、この上球送出路部１７Ａは、上半体２０に左右蛇行状に一体形成された第１球送出路４５を覆蓋する第１カバー部材４２と、この第１カバー部材４２と共に上半体２０に着脱可能にビス固定されて第２球送出路４６を画成する第２カバー部材４３とからなっている。一方、前記下球送出路部１７Ｂは貯留球通出ユニット４４からなり、該ユニット４４には、図５に示すように、賞球受入口５４および貸球受入口５５が開口されると共に、両受入口５４,５５を介して前記第１および第２球送出路４５,４６の夫々と連通する第１球通過路５２および第２球通過路５３が内部に画成されて、前記上半体２０に対して着脱可能にネジで固定されるよう構成される。なお、前記第１球通過路５２は賞球通路２４を構成し、前記第２球通路５３は貸球通路２５を構成している。更に、パチンコ球を前記第１および第２球通過路５２,５３の夫々から前記第１球払出装置Ｅ１および第２球払出装置Ｅ２に送出し得る第１球送出口５７および第２球送出口５８が、前記貯留球通出ユニット４４に開口されている(図１２参照)。
【００２０】
前記球案内部１８は、図１に示すように、前記セット盤本体１１の下半体２１に形成された球払出路２３を覆蓋するカバー蓋板４８に着脱可能にネジで固定される球案内部材４９からなり、前記第１球払出装置Ｅ１および第２球払出装置Ｅ２から払出された賞球および貸球を前記球払出路２３へ通出案内するためのものである。なおカバー蓋板４８には、球貸しユニットＦとの電気的接続を図るためのインターフェースボードを固定するためのインターフェース部材５０が組付けられる。
【００２１】
また、図１に示すように、カード式球貸仕様では、機外の球補給設備から補給されるパチンコ球を貸球および賞球として区分して払出すようになっているので、前記貯留球通出ユニット４４の賞球送出口５７と整合する賞球受入口(図示せず)を開口された賞球払出用の第１球払出装置Ｅ１と、前記第２球送出路４６の貸球送出口５８に整合する貸球受入口(図示せず)を開口された貸球払出用の第２球払出装置Ｅ２とを装備する。これら第１球払出装置Ｅ１および第２球払出装置Ｅ２は、前記第１球送出路４５および第２球送出路４６がパチンコ遊技機の前後方向へ並列的に形成され、貯留球通出ユニット４４の球送出口５７,５８が該遊技機の前後方向へ並列的に開口形成されているもとで、前後組付形態として、第１球払出装置Ｅ１のケース体５１の後壁面および第２球払出装置Ｅ２のケース体５１の前壁面とを相互に密着させた遊技機前後方向の縦列状態で、前記設置部２２にネジにより着脱可能に組付けられる。
【００２２】
更に、前記第１球払出装置Ｅ１および第２球払出装置Ｅ２は全く同一タイプとされ、前記球払出制御装置１９からの出力信号により作動制御されるもとで、同制御装置１９からの貸球払出指令信号は前記第２球払出装置Ｅ２へ出力され、賞球払出指令信号は前記第１球払出装置Ｅ１へ出力され、これら各信号に応じて貸球と賞球との区分払出をなし得る。このような第１球払出装置Ｅ１および第２球払出装置Ｅ２は、矩形箱体状に形成された合成樹脂製の前記ケース体５１内に、電動式の球払出機構部や中継基板等を収容して構成され、ケース体単位のユニットとして取扱い得るようになっている。
【００２３】
【第１実施例の作用】
次に、第１実施例に係るパチンコ遊技機の作用について説明する。前述のように構成されたパチンコ遊技機において、機外の球補給設備から球払出経路構成部１４における球タンク部１５の球容器３０内へパチンコ球が補給された際に、この球容器３０に取付けられている規制部材２８ａは、図３(ａ)に示すように、この球容器３０の球出口３０ａと整合する第２球整流路３８(貸球通路２５)の入口部２５ａに突出しない位置(球通出許容位置)に固定されている場合には、前記貸球通路２５から第２球払出装置Ｅ２へのパチンコ球の供給が許容されている。すなわち、各パチンコ球は前記球容器３０の球出口３０ａから、前記球払出経路構成部１４を構成する第１球整流路３７(賞球通路２４)および第２球整流路３８(貸球通路２５)の夫々へ流入する。そして、第１球整流路３７へ流入したパチンコ球は、第１スプロケット４１ａを通過した後に２列から１列に整列されて、球送出路部１７の第１球送出路４５内へ流入し、第１球払出装置Ｅ１へ到来して賞球用の貯留球として順次貯留される。一方、第２球整流路３８へ流入したパチンコ球は、第２スプロケット４１ｂを通過した後に２列から１列に整列されて、球送出路部１７の第２球送出路４６内へ流入し、第２球払出装置Ｅ２へ到来して貸球用の貯留球として順次貯留される。
【００２４】
このように貯留球が正常に貯留された状態において、当該パチンコ遊技機でのパチンコ遊技に先立ち、遊技者が前記貸球用のカードおよび球貸しユニットＦを利用した適正な球貸し操作を行なった場合は、この操作に応答して球払出制御装置１９により第２球払出装置Ｅ２が作動制御され、第２球送出路４６および第２球整流路３８内の所定数の貯留球が貸球として払出される。これにより払出された貸球は、前記球案内部１８の球案内部材４９により球払出路２３へ適切に通出案内され、機前側の上球皿へ給出される。
【００２５】
一方、前記貸球を遊技球として前記遊技盤Ｃ内でパチンコゲームが展開されている途中で入賞球が発生した場合は、これに応答して球払出制御装置１９により第１球払出装置Ｅ１が作動制御され、第１球送出路４５および第１球整流路３７内の所定数の貯留球が賞球として払出される。これにより払出された賞球は、前記球案内部１８の球案内部材４９により球払出路２３へ適切に通出案内され、機前側の上球皿または下球皿へ給出される。このように、前記規制部材２８ａを、前記球出口３０ａの入口部２５ａを被覆しない位置に固定することで、常にはカード式球貸仕様のパチンコ遊技機として使用することが可能となる。
【００２６】
また、図３(ｂ)に示すように、前記規制部材２８ａをスライド操作して、球通出規制位置に移動させた状態で、機外の球補給設備から球タンク部１５の球容器３０内へパチンコ球が補給されると、各パチンコ球は該球容器３０における球出口３０ａの入口部２５ｂから第１球整流路３７(賞球通路２４)へ流入して供給される。一方、前記球出口３０ａと整合する第２球整流路３８(貸球通路２５)の入口部２５ａは、前記規制部材２８ａで閉塞されているので、パチンコ球の第２球整流路３８への供給が規制される。すなわち、前記第１球整流路３７へ流入したパチンコ球は、前記規制部材２８ａが球通出許容位置にある場合と同様に、第１スプロケット４１ａを通過した後に２列から１列に整列されて球送出路部１７の第１球送出路４５内へ流入し、第１球払出装置Ｅ１へ到来して賞球用の貯留球として順次貯留される。一方、前記第２球整流路３８へはパチンコ球が流入することがないため、第２球払出装置Ｅ２へパチンコ球が到来して貸球用の貯留球として貯留されることはない。
【００２７】
従って、前記規制部材２８ａにより、前記第２球整流路部３８へのパチンコ球の流入が規制されたパチンコ遊技機でパチンコゲームをする際には、機外で別途購入した貸球を遊技球としてパチンコゲームを行なう。そして、入賞球が発生した際には、これに応答して球払出制御装置１９により第１球払出装置Ｅ１が作動制御され、第１球送出路４５および第１球整流路３７内の所定数の貯留球が賞球として払出される。そして、払出された賞球は、前記球案内部１８の球案内部材４９により球払出路２３へ適切に通出案内され、機前側の上球皿または下球皿へ給出される。このように、前記球出口３０ａと整合する第２球整流路部３８(貸球通路２５)の入口部２５ａを、前記規制部材２８ａで閉塞する球通出規制位置にスライド移動させることで、現金式球貸仕様のパチンコ遊技機として使用することができるようになる。
【００２８】
このように、前記球容器３０の裏面に配設された、球通出許容位置にある規制部材２８ａを球通出規制位置にスライド移動させることで、容易に現金式球貸仕様に対応した機構セット盤の構成とすることができる。すなわち、機構セット盤の組外し・組付け等を行なうことなくカード式球貸仕様から現金式球貸仕様に仕様変更し得るようになり、仕様変更を行なう際の作業工程を削減し合理化を図り得ると共に、交換する各種部材コストや交換した部材の処理等のコストの効果的な低減が可能となる。
【００２９】
また、前記規制部材２８ａを球通出規制位置にスライド移動させて現金式球貸仕様とした場合も、該規制部材２８ａを所定の位置(球通出許容位置)に再度復帰させれば、容易にカード式球貸仕様とすることができる。すなわち、カード式球貸仕様から現金式球貸仕様に仕様変更する場合と同様に、現金式球貸仕様からカード式球貸仕様に仕様変更する場合も、作業工程を削減し合理化を図り得ると共に、交換する各種部材コストや交換した部材の処理等のコストの効果的な低減が可能となる。
【００３０】
【第２実施例】
次に、第２実施例に係るパチンコ遊技機について説明する。なお、第２実施例に係るパチンコ機の基本的な構成は、前述した第１実施例のパチンコ機の構成と基本的に同一であり、異なる部分についてのみ説明し、同一の部材については同一の符号を用いて説明する。
【００３１】
図６に示すように、第２実施例に係るパチンコ遊技機では、前記整流レール３３の下流端となる右端に整合するスプロケットカバー３５の上面に通孔３５ａが穿設されており、この通孔３５ａは該スプロケットカバー３５内に配設された前記第２スプロケット４１ｂの上方に位置している。そして、この通孔３５ａには、前記スプロッケットカバー３５の内部に配設される第２スプロケット４１ｂの回転を規制し得る規制部材２８ｂが、上下にスライド移動可能に挿入されて、常には第２スプロケット４１ｂの回転を制止することのない位置(回転許容位置)に固定されている(図７(ａ))。また、前記規制部材２８ｂを下方にスライド移動した際には、前記第２スプロケット４１ｂの回転を制止し得る位置(回転規制位置)で固定し得るようになっている(図７(ｂ))。なお、前記スプロケットカバー３５内に配設される第１スプロケット４１ａおよび第２スプロケット４１ｂは、前述したように夫々独立して自由回転し得るようになっているので、前記規制部材２８ｂが回転規制位置に固定されて、第２スプロケット４１ｂの回転が制止された場合においても、第１スプロケット４１ａは自由回転可能となっている。
【００３２】
前記規制部材２８ｂは、規制部材２８ｂに穿設した通孔(図示せず)にネジ等を挿通し、機構セット盤Ｄに複数形成されたボス部６５,６５に螺着することで固定し得る。ここで、前記ボス部６５,６５は、前記規制部材２８ｂを前述の回転許容位置または回転規制位置に固定し得る位置に設けられている。
【００３３】
このように構成される第２実施例のパチンコ遊技機は、図７(ａ)に示すように、常には前記規制部材２８ｂが回転許容位置に固定されて、前記スプロケットカバー３５内に配設される第１および第２スプロケット４１ａ,４１ｂの夫々は、自由回転可能な状態となっており、前記貸球通路２５から第２球払出装置Ｅ２へのパチンコ球の供給が許容されている。すなわち、遊技者が前記貸球用のカードおよび球貸しユニットＦを利用した適正な球貸し操作を行なった場合は、この操作に応答して球払出制御装置１９により第２球払出装置Ｅ２が作動制御され、第２スプロケット４１ｂが回転することにより第２球整流路３８から第２球送出路４６に通出案内されたパチンコ球の所定数が、貸球として払出される。一方、前記貸球を遊技球として前記遊技盤Ｃ内でパチンコゲームが展開されている途中で入賞球が発生した場合は、これに応答して球払出制御装置１９により第１球払出装置Ｅ１が作動制御され、第１スプロケット４１ａにより第１球整流路３７から第１球送出路４５に通出案内されるパチンコ球の所定数が、賞球として払出される。このように、前記規制部材２８ｂを前記第２スプロケット４１ｂの回転を制止しない位置に取付けることで、カード式球貸仕様として構成される。
【００３４】
また、図７(ｂ)に示すように、前記規制部材２８ｂを前記第２スプロケット４１ｂの回転を制止する回転規制位置にスライド移動させると、前記第２スプロケット４１ｂは回転しないため、前記第２球整流路３８から到来するパチンコ球は第２球送出路４６へ通出案内されない。そのため、前記第２球払出装置Ｅ２へパチンコ球が到来して貸球用の貯留球として貯留されることはなく、貸球としての払出しは行なわれない。一方、第１スプロケット４１ａは自由回転可能となっているので、前記第１球整流路３７から到来するパチンコ球は第１球送出路４５へ通出案内され、第１球払出装置Ｅ１へパチンコ球が到来して賞球用の貯留球として貯留されるようになる。従って、このパチンコ遊技機でパチンコゲームをする際には、機外で別途購入した貸球を遊技球としてパチンコゲームを行なうことになり、入賞球が発生した際には、これに応答して球払出制御装置１９により第１球払出装置Ｅ１が作動制御され、第１球送出路４５および第１球整流路３７内の所定数の貯留球が賞球として払出される。このように、前記第２スプロケット４１ｂの回転を制止し得るように規制部材２８ｂを設けることで、機構セット盤Ｄを容易に現金式球貸仕様に対応した構成とすることができる。従って、カード式球貸仕様から現金式球貸仕様に仕様変更する際に、機構セット盤の組外し・組付け等を行なう必要はなく、作業工程を削減し合理化を図り得ると共に、交換する各種部材コストや交換した部材の処理等のコストの効果的な低減が可能となる。
【００３５】
また、前記規制部材２８ｂを回転規制位置にスライド移動させて現金式球貸仕様としている場合も、該規制部材２８ｂを回転許容位置に再度復帰させれば容易にカード式球貸仕様とすることができる。すなわち、カード式球貸仕様から現金式球貸仕様に仕様変更する場合と同様に、現金式球貸仕様からカード式球貸仕様に仕様変更する場合も、作業工程を削減し合理化を図り得ると共に、交換する各種部材コストや交換した部材の処理等のコストの効果的な低減が可能となる。
【００３６】
なお、この第２実施例では、スプロケットカバー３５の上方に規制部材２８ｂを挿入し得る通孔３５ａを形成したが、その形成位置はこれに限られるものではない。また、前記規制部材の固定法手段は、前記構成のものに限られるものではなく、例えばスプロケットカバー３５に形成した雌ネジ孔に雄ネジ孔を形成した規制部材２８ｂを螺挿することで、回転許容位置または回転規制位置に位置決め固定する等、各種の手段を採用し得る。また、ネジ固定に限らず、従来公知の各種手段で固定することが可能である。
【００３７】
【第３実施例】
次に、第３実施例に係るパチンコ遊技機について説明する。なお、第３実施例に係るパチンコ機の基本的な構成は、前述した第１実施例のパチンコ機の構成と基本的に同一であり、異なる部分についてのみ説明し、同一の部材については同一の符号を用いて説明する。
【００３８】
図８に示すように、第３実施例に係るパチンコ遊技機では、前記球払出経路構成部１４を構成する球送出路部１７における貯留球通出ユニット４４に、該貯留球通出ユニット４４へのパチンコ球の流入を規制し得る規制部材２８ｃが配設されている。そして、この規制部材２８ｃは、図９に示すように、パチンコ球が通出し得る第１球通過口６７および第２球通過口６８が開口された平板状に形成されて、前後方向にスライド移動可能となっている。そして、図１０(ａ),(ｂ)に示すように、この規制部材２８ｃを後方位置で固定した場合には、前記第１球通過路５２(賞球通路２４)の賞球受入口５４と第１球通過口６７とが連通すると共に、前記第２球通過路５３(貸球通路２５)の貸球受入口５５と第２球通過口６８とが連通するようになっている。また、前規制部材２８ｃを前方位置で固定した場合には、前記第１球通過路５２(賞球通路２４)の賞球受入口５４と第１球通過口６７とが連通する一方で、第２球通過口６８の位置がずれることにより、前記貸球受入口５５へのパチンコ球の通出を阻止するよう、該受入口５５を部分的に塞ぐようになっている。そして、前記規制部材２８ｃは、常にはこの貸球受入口５５を塞ぐことのない位置(球通出許容位置)に固定されており(図１０(ａ))、前記規制部材２８ｃを手前方向にスライド移動させた際には、前記貸球受入口５５を部分的に塞ぐ位置(球通出規制位置)に固定し得るようになっている(図１０(ｂ))。なお、前記規制部材２８ｃの固定手段は、従来公知の各種手段を用いることができる。
【００３９】
このように構成される第３実施例のパチンコ遊技機は、図１０(ａ)に示すように、前記規制部材２８ｃが球通出許容位置にある場合には、前記貯留球通出ユニット４４に開口される賞球受入口５４および貸球受入口５５の夫々は、パチンコ球を通出可能な状態となっており、前記貸球通路２５から第２球払出装置Ｅ２へのパチンコ球の供給が許容されている。すなわち、遊技者が前記貸球用のカードおよび球貸しユニットＦを利用した適正な球貸操作を行なった場合は、この操作に応答して球払出制御装置１９により第２球払出装置Ｅ２が作動制御され、前記貯留球通出ユニット４４の貸球受入口５５および第２球通過路５３を通出したパチンコ球の所定数が、貸球として払出される。一方、前記貸球を遊技球として前記遊技盤Ｃ内でパチンコゲームが展開されている途中で入賞球が発生した場合は、これに応答して球払出制御装置１９により第１球払出装置Ｅ１が作動制御され、前記貯留球通出ユニット４４の賞球受入口５４および第１球通過路５２を通出したパチンコ球の所定数が、賞球として払出される。このように、前記規制部材２８ｃを球通出許容位置に位置決め固定することで、カード式球貸仕様のパチンコ遊技機として構成される。
【００４０】
また、図１０(ｂ)に示すように、前記規制部材２８ｃを前方にスライド移動させて球通出規制位置に位置決め固定した際には、前記第２球送出路４６(貸球通路２５)と貸球受入口５５との連通状態が遮断され、前記第２球送出路４６のパチンコ球は、前記貯留球通出ユニット４４内へ通出できなくなり、第２球払出装置Ｅ２へパチンコ球が到来して貸球用の貯留球として貯留されることはない。一方、前記賞球受入口５４と第１通過口６７とは連通状態でパチンコ球が通出可能となっているので、前記第１球送出路４５のパチンコ球は貯留球通出ユニット４４内へ通出案内されて第１球払出装置Ｅ１へパチンコ球が到来し、賞球用の貯留球として貯留されるようになる。従って、このパチンコ遊技機でパチンコゲームをする際には、機外で別途購入した貸球を遊技球としてパチンコゲームを行なうことになり、入賞球が発生した際には、これに応答して球払出制御装置１９により第１球払出装置Ｅ１が作動制御され、第１球送出路４５および第１球整流路３７内の所定数の貯留球が賞球として払出される。このように、前記貯留球通出ユニット４４の貸球受入口５５を塞ぐ球通出規制位置に規制部材２８ｃを位置決め固定することで、容易に現金式球貸仕様に対応した機構セット盤Ｄの構成とすることができる。従って、カード式球貸仕様から現金式球貸仕様に仕様変更する際に、機構セット盤Ｄの組外し・組付け等を行なう必要はなく、作業工程を削減し合理化を図り得ると共に、交換する各種部材コストや交換した部材の処理等のコストの効果的な低減が可能となる。
【００４１】
また、前記規制部材２８ｃを球通出規制位置にスライド移動させて現金式球貸仕様としている場合も、該規制部材２８ｃを球通出許容位置に再度復帰させれば容易にカード式球貸仕様とすることができる。すなわち、カード式球貸仕様から現金式球貸仕様に仕様変更する場合と同様に、現金式球貸仕様からカード式球貸仕様に仕様変更する場合も、作業工程を削減し合理化を図り得ると共に、交換する各種部材コストや交換した部材の処理等のコストの効果的な低減が可能となる。
【００４２】
なお、この第３実施例では、規制部材２８ｃを手前にスライド移動させることで、前記貸球受入口５５を塞ぐ球通出規制位置となるようにしたが、該規制部材２８ｃを左右方向または奥側にスライド移動させることで球通出規制位置となるようにすることも可能である。
【００４３】
【第４実施例】
次に、第４実施例に係るパチンコ遊技機について説明する。なお、第４実施例に係るパチンコ機の基本的な構成は、前述した第１実施例のパチンコ機の構成と基本的に同一であり、異なる部分についてのみ説明し、同一の部材については同一の符号を用いて説明する。なお、本実施例における規制部材としては、前述の第３実施例における規制部材２８ｃと同一の部材を用いて説明する。
【００４４】
図１１に示すように、第４実施例に係るパチンコ遊技機では、前記球払出経路構成部１４を構成する球送出路部１７の貯留球通出ユニット４４に、前記第２球払出装置Ｅ２へのパチンコ球の流入を規制し得る規制部材２８ｃが、前後方向にスライド移動可能に配設されている。そして、この規制部材２８ｃを後方位置で固定した場合には、前記第１球通過路５２(賞球通路２４)の賞球送出口５７と第１球通過口６７とが連通すると共に、前記第２球通過路５３(貸球通路２５)の貸球送出口５８と第２球通過口６８とが連通するようになっている。また、前記規制部材２８ｃを前方にスライド移動した場合には、前記第１球通過路５２(賞球通路２４)の賞球送出口５７と第１球通過口６７とが連通する一方で、第２球通過口６８の位置がずれることにより、前記貸球送出口５８からのパチンコ球の通出を阻止するよう、該送出口５８を部分的に塞ぐようになっている。そして、前記規制部材２８ｃは、常には貸球送出口５８を塞ぐことのない位置(球通出許容位置)に固定されており(図１２(ａ))、前記規制部材２８ｃを手前方向にスライド移動させた際には、前記貸球送出口５８を部分的に塞ぐ位置(球通出規制位置)に固定し得るようになっている(図１２(ｂ))。なお、規制部材２８ｃの固定手段は、従来公知の各種手段を用いることができる。
【００４５】
このように構成される第４実施例のパチンコ遊技機は、図１２(ａ)に示すように、前記規制部材２８ｃが球通出許容位置に位置決め固定される場合には、前記貯留球通出ユニット４４に開口される賞球送出口５７および貸球送出口５８の夫々は、パチンコ球を通出可能な状態となっており、前記貸球通路２５から第２球払出装置Ｅ２へのパチンコ球の供給が許容されている。すなわち、遊技者が前記貸球用のカードおよび球貸しユニットＦを利用した適正な球貸操作を行なった場合は、この操作に応答して球払出制御装置１９により第２球払出装置Ｅ２が作動制御され、前記貯留球通出ユニット４４の貸球送出口５８を通出したパチンコ球の所定数が、貸球として払出される。一方、前記貸球を遊技球として前記遊技盤Ｃ内でパチンコゲームが展開されている途中で入賞球が発生した場合は、これに応答して球払出制御装置１９により第１球払出装置Ｅ１が作動制御され、前記貯留球通出ユニット４４の賞球送出口５７を通出したパチンコ球の所定数が、賞球として払出される。このように、前記規制部材２８ｃを前記球通出許容位置に位置決め固定することで、カード式球貸仕様のパチンコ遊技機として構成される。
【００４６】
また、図１２(ｂ)に示すように、前記規制部材２８ｃを前記貯留球通出ユニット４４の貸球送出口５８を塞ぐ球通出規制位置にスライド移動させると、前記第２球送出路４６から到来し、貯留球通出ユニット４４内へ導入されたパチンコ球は、前記第２球払出装置Ｅ２に通出することができないので、この第２球払出装置Ｅ２に貸球用の貯留球が貯留されることはない。一方、前記賞球送出口５７はパチンコ球が通出可能となっているので、前記第１球送出路４５から到来し、貯留球通出ユニット４４内へ通入案内されたパチンコ球は前記第１球払出装置Ｅ１に通出可能であるので、第１球払出装置Ｅ１に賞球用の貯留球が貯留されるようになる。従って、このパチンコ遊技機でパチンコゲームをする際には、機外で別途購入した貸球を遊技球としてパチンコゲームを行なうことになり、入賞球が発生した際には、これに応答して球払出制御装置１９により第１球払出装置Ｅ１が作動制御され、前記貯留球通出ユニット４４の賞球送出口５７を通出したパチンコ球の所定数が、賞球として払出される。このように、前記貯留球通出ユニット４４の貸球送出口５８を塞ぐ球通出規制位置に規制部材２８ｃを位置決め固定することで、容易に現金式球貸仕様に対応した機構セット盤Ｄの構成とすることができる。従って、カード式球貸仕様から現金式球貸仕様に仕様変更する際に、機構セット盤Ｄの組外し・組付け等を行なう必要はなく、作業工程を削減し合理化を図り得ると共に、交換する各種部材コストや交換した部材の処理等のコストの効果的な低減が可能となる。
【００４７】
また、前記規制部材２８ｃを球通出規制位置にスライド移動させて現金式球貸仕様としている場合も、該規制部材２８ｃを球通出許容位置に再度復帰させれば容易にカード式球貸仕様とすることができる。すなわち、カード式球貸仕様から現金式球貸仕様に仕様変更する場合と同様に、現金式球貸仕様からカード式球貸仕様に仕様変更する場合も、作業工程を削減し合理化を図り得ると共に、交換する各種部材コストや交換した部材の処理等のコストの効果的な低減が可能となる。
【００４８】
なお、この第４実施例では、規制部材２８ｃを手前に引出すことで前記貸球送出口５８を塞ぐ球通出規制位置となるようにしたが、該規制部材２８ｃを左右方向または奥側にスライド移動させることで球通出規制位置となるようにすることも可能である。
【００４９】
このように、第１〜第４実施例のパチンコ遊技機では、前記機構セット盤Ｄを共用としたもとで、カード式球貸仕様と現金式球貸仕様との仕様変更を、極めて簡単かつ容易に行ない得る。すなわち仕様変更に際しては、成型コストが嵩む大型成形部材である機構セット盤Ｄを交換する必要がないから(カード式球貸仕様のパチンコ遊技機用と現金式球貸仕様のパチンコ遊技機用の両方の機構セット盤を個別に準備する必要がないから)、仕様変更に伴う費用を最小限に抑えてコスト削減が可能となると共に、部材発注および保管等が容易になる。また仕様変更に際し、中枠Ｂの保持枠１０に組付けた機構セット盤Ｄの着脱作業を必要としないので、作業工数の削減および合理化等も可能である。
【００５０】
なお、規制部材を配設する位置は、前記各実施例で示したパチンコ遊技機における配設位置に限られず、球払出経路構成部における貸球通路の所要位置に設ければ良い。また、各実施例では規制部材をスライド移動可能に配設し、この規制部材のスライド操作により、カード式球貸仕様と現金式球貸仕様との仕様変更を行ない得るようにしたが、これに限られず、例えば仕様変更の際に、貸球通路の所要位置に規制部材を取付けたり取外すことで、第２球払出装置へのパチンコ球の供給を規制したり許容する構成を採用することも可能である。
【００５１】
また、カード式球貸仕様に構成したパチンコ遊技機における賞球払出用の第１球払出装置Ｅ１と貸球払出用の第２球払出装置Ｅ２、および現金式球貸仕様に構成したパチンコ遊技機における賞球払出用の第１球払出装置Ｅ１は、同一の形状・サイズとされる同一タイプのものが使用できるので共通化を図り得る一方、カード式球貸仕様に構成したパチンコ遊技機では第１球払出装置Ｅ１に第２球払出装置Ｅ２を遊技機前後方向の縦列状態に組付けるようになっているので、複数の球払出装置を組付ける際に設置部２２のスペースを拡大する必要がないからスペースを有効に利用することができる。
【００５２】
更に、各実施例の形態では、１列の貸球通路２５および２列またはこれ以上の賞球通路２４を画成し得ると共に、３基以上の球払出装置Ｅを前後方向の縦列状態に組付けることも可能である。このように賞球通路２４を複数に構成すれば、例えば遊技盤Ｃでの入賞態様により異なる個数の賞球払出し(例えば５球と１５球)を行なう場合に、賞球払出個数毎に専用の賞球通路２４を対応させることができるから、より細かい賞球払出しが可能となる。なお、各実施例の球払出経路構成部１４では、機構セット盤Ｄのセット盤本体１１に隣接した側を賞球通路２４とすると共に隣接しない側を貸球通路２５として構成したが、これら賞球通路２４と貸球通路２５とを夫々逆に設定してもよい。
【００５３】
【発明の効果】
以上説明した如く、本発明に係るパチンコ遊技機によれば、球払出経路構成部における貸球通路の所要位置に、貸球払出用の貸球払出装置へのパチンコ球の供給を規制し得る規制部材を設け、該球払出装置による貸球払出を不可能とすることで、現金式球貸仕様とすることができ、この規制部材の移動により、貸球通路から貸球払出用の貸球払出装置へのパチンコ球の供給を許容し、この球払出装置からの貸球払出を可能とすることで、カード式球貸仕様とすることができる。このため、カード式球貸仕様から現金式球貸仕様または現金式球貸仕様からカード式球貸仕様に仕様変更する際に、作業工程を削減し合理化を図り得ると共に、交換する各種部材コストや交換した部材の処理等のコストの効果的な低減が可能となる。また、カード式パチンコ遊技機用として使用された機構セット盤を、再度現金式パチンコ遊技機用の機構セット盤として再利用することができるため、比較的コスト高となり易い、現金式パチンコ遊技機のコスト低減に貢献することができる。更に、カード式パチンコ遊技機と現金式パチンコ遊技機の両方に同一の機構セット盤を共用できるので、両仕様毎の機構セット盤を個別に準備する必要はなく、製造ラインの合理化を効率的に図り得る利点がある。
【図面の簡単な説明】
【図１】本発明の各実施例に係るパチンコ遊技機を構成する機構セット盤のセット盤本体に対し、球払出経路構成部を構成する各部材、第１球払出装置および第２球払出装置を組付ける状態を示す概略斜視図である。
【図２】各実施例に係るカード式球貸仕様として構成されたパチンコ遊技機の背面図である。
【図３】第１実施例に係る規制部材と第２球整流路との状態を概略で示す球容器の平面図であって、(ａ)は規制部材が球通出許容位置にある状態を示し、(ｂ)は規制部材が球通出規制位置にある状態を示す。
【図４】各実施例に係るスプロケットの組付け状態を、スプロケットカバーを破断した状態で示す概略図である。
【図５】各実施例に係る貯留球通出ユニットを組立てた状態で示す斜視図である。
【図６】第２実施例に係る規制部材の配設部位を概略で示す斜視図である。
【図７】第２実施例に係る規制部材と第２スプロケットとの状態を示す概略図であって、(ａ)は規制部材が回転許容位置にある状態を示し、(ｂ)は規制部材が回転規制位置にある状態を示す。
【図８】第３実施例に係る規制部材の配設部位を概略で示す正面図である。
【図９】第３または第４実施例に係る規制部材を示す平面図である。
【図１０】第３実施例に係る規制部材と貯留球通出ユニットとの概略を状態を示す貯留球通出ユニットの平面図であって、(ａ)は規制部材が球通出許容位置にある状態を示し、(ｂ)は規制部材が球通出規制位置にある状態を示す。
【図１１】第４実施例に係る規制部材の配設部位を概略で示す正面図である。
【図１２】第４実施例に係る規制部材と貯留球通出ユニットとの概略を状態を示す貯留球通出ユニットの底面図であって、(ａ)は規制部材が球通出許容位置にある状態を示し、(ｂ)は規制部材が球通出規制位置にある状態を示す。
【符号の説明】
１４  球払出経路構成部
２４  賞球通路
２５  貸球通路
２５ａ  入口部
２５ｂ  入口部
２８ａ  規制部材
２８ｂ  規制部材
２８ｃ  規制部材
３０  球容器
３０ａ  球出口
３４  回転軸
３５  スプロケットカバー
３５ａ  通孔
３７  第１球整流路
３８  第２球整流路
４１ａ  第１スプロケット
４１ｂ  第２スプロケット(スプロケット)
４４  貯留球通出ユニット
４５  第１球送出路
４６  第２球送出路
５２  第１球通路
５３  第２球通過路
５４  賞球受入口
５５  貸球受入口
５７  賞球送出口
５８  貸球送出口
６７  第１球通過口
６８  第２球通過口
Ｄ  機構セット盤
Ｅ  球払出装置
Ｅ１  第１球払出装置
Ｅ２  第２球払出装置
【図１】
0004688374.tif 000002
【図２】
0004688374.tif 000003
【図３】
0004688374.tif 000004
【図４】
0004688374.tif 000005
【図５】
0004688374.tif 000006
【図６】
0004688374.tif 000007
【図７】
0004688374.tif 000008
【図８】
0004688374.tif 000009
【図９】
0004688374.tif 000010
【図１０】
0004688374.tif 000011
【図１１】
0004688374.tif 000012
【図１２】
0004688374.tif 000013